(57)【要約】【課題】座板の上方向への移動や座板のこじ開けを防止する。【解決手段】建物開口部を開閉するシャッター装置のシャッターカーテン２の下端の座板４に鎌錠装置６を設け、開口部全閉時において、該鎌錠装置６の回動係止片６１を床面に設けた被係止部に係止させるように構成されている。一つの態様では、該被係止部は床面に設けた下枠５の上面に形成されており、開口部全閉時には該下枠５は座板４によって隠蔽される。他の態様では、開口部全閉時において、該鎌錠装置６の回動係止片６１を床面に設けた被係止部に係止させるように構成されており、床面には凹部が形成されており、開口部全閉時には該凹部内に座板４が受け入れられる。【選択図】図１
2005090104.tif 000002
【特許請求の範囲】
【請求項１】
建物開口部を開閉するシャッター装置のシャッターカーテンの下端の座板に鎌錠装置を設け、開口部全閉時において、該鎌錠装置の回動係止片を床面に設けた被係止部に係止させるように構成されており、該被係止部は床面に設けた下枠の上面に形成されており、開口部全閉時には該下枠は座板によって隠蔽されることを特徴とするシャッターの防犯構造。
【請求項２】
建物開口部を開閉するシャッター装置のシャッターカーテンの下端の座板に鎌錠装置を設け、開口部全閉時において、該鎌錠装置の回動係止片を床面に設けた被係止部に係止させるように構成されており、床面には凹部が形成されており、開口部全閉時には該凹部内に座板が受け入れられることを特徴とするシャッターの防犯構造。
【発明の詳細な説明】
【技術分野】
【０００１】
本発明は、シャッターの防犯構造に係り、詳しくは、開口部全閉時において、シャッターの座板部位から室内に侵入することを防止するシャッターの防犯構造に関するものである。
【背景技術】
【０００２】
バール等でシャッターをこじ開けて建物開口部を開放して室内に侵入するという犯罪が発生している。シャッターのこじ開けのやり方の一つとして、座板と床面との間に隙間が発生し易いことを利用して、バールや油圧ジャッキを用いて、座板を上方向に持ち上げて、座板をこじ開けることが行なわれる。
【発明の開示】
【発明が解決しようとする課題】
【０００３】
本発明は、座板の上方向への移動や座板のこじ開けを防止することを目的とするものである。
【課題を解決するための手段】
【０００４】
かかる課題を達成するために本発明が採用した技術手段は、建物開口部を開閉するシャッター装置のシャッターカーテンの下端の座板に鎌錠装置を設け、開口部全閉時において、該鎌錠装置の回動係止片を床面に設けた被係止部に係止させるように構成されており、該被係止部は床面に設けた下枠の上面に形成されており、開口部全閉時には該下枠は座板によって隠蔽されることを特徴とするものである。鎌錠装置によって、座板が床面側に係止するので、座板の上方向への移動が規制される。開口部全閉時には、被係止部が設けてある下枠が座板に隠蔽されているので、座板のこじ開けを困難とする。
【０００５】
本発明が採用した他の技術手段は、建物開口部を開閉するシャッター装置のシャッターカーテンの下端の座板に鎌錠装置を設け、開口部全閉時において、該鎌錠装置の回動係止片を床面に設けた被係止部に係止させるように構成されており、床面には凹部が形成されており、開口部全閉時には該凹部内に座板が受け入れられることを特徴とするものである。鎌錠装置によって、座板が床面側に係止するので、座板の上方向への移動が規制される。床面に凹部を形成し、開口部全閉時に、該凹部に座板を受け入れることで、座板のこじ開けを困難とする。床面に形成する凹部は、床面の内部あるいは上面に直接設けても良く、あるいは、床面に埋設した下枠の上面に凹部を形成してもよい。
【０００６】
回動係止片が係止する被係止部は、好ましい態様では、下枠や床面に設けたストライクプレートである。一つの好ましい態様では、鎌錠装置は２つの回動係止片を有しており、２つの回動係止片は互いに異なる方向に回動することで被係止部に係止する。互いに異なる方向に回動する二つの回動係止片を設けたものでは、施錠時において、回動係止片が互いに反対方向から被係止部に係止することで、座板を長さ方向（左右方向）に移動させることによるこじ開けに良好に対応することができる。他の好ましい態様では、該鎌錠装置の室内側の解錠手段は、２アクション機構を備えた回動つまみ、あるいは、シリンダ錠である。
【発明の効果】
【０００７】
本発明によれば、座板に設けた鎌錠装置が、開口部全閉時における座板の上下方向の移動を規制するので、バール等で座板やスラットを上方向にこじ開けることを防止する。
【０００８】
開口部全閉時に該下枠を座板によって隠蔽するものでは、開口部全閉時には、鎌
錠装置の係止部が係止する被係止部が設けてある下枠が座板に隠蔽されているので、座板のこじ開けを困難とする。
【０００９】
床面には凹部が形成されており、開口部全閉時には該凹部内に座板が受け入れられるようにしたものでは、座板と床面との間にバール等を挿入することを困難にすることによって、座板の上方向への移動を防止する。
【発明を実施するための最良の形態】
【００１０】
図１（Ａ）、（Ｂ）はそれぞれ、開口部全閉時における、シャッター装置の室内側の部分正面図であって、シャッター装置の下半部位を示している。シャッター装置は、建物開口部の左右端部に立設した左右のガイドレール１と、建物開口部の上方に設けたシャッターケース（図示せず）と、建物開口部を開閉するシャッターカーテン２とを有する。シャッターカーテン２は複数枚のスラット３を上下に連設して構成されており、その上端はシャッターケース内に水平状に設けた図示しない巻取シャフトに連結されており、建物開口部開放時には、シャッターカーテン２は該巻取シャフトに巻装されている。建物開口部閉鎖時には、シャッターカーテン２は、該巻取シャフトから繰り出され、スラット３の両端部が左右のガイドレール１に案内されながら下降して行き、シャッターカーテン２の最下端に設けた座板４が床に着床することで建物開口部を全閉する。
【００１１】
床面の座板４が着床する部位には、下枠（沓摺）５が埋設されている。座板４には、座板４の長さ方向に間隔を存して鎌錠装置６が装着されている。図１（Ａ）では、座板４の長さ方向中央部位に一つの鎌錠装置が設けてある。図１（Ｂ）では、座板４の長さ方向に間隔を存して２つの鎌錠装置６が装着されている。一つの座板４に設置される鎌錠装置６の個数は図示のものに限定されず、例えば、３つの鎌錠装置を座板に設けてもよい。
【００１２】
座板４は、垂直部４０と、垂直部４０の下端に設けた水平状部４１とから断面視逆Ｔ形状を有している。垂直部４０の上端は、シャッターカーテン２を構成する最下位のスラット３の下端に連結されており、水平状部４１は垂直部４０を挟んで半部が室外側、半部が室内側に位置することになる。水平状４１の室外側、室内側の端部には下方に延出する当接片４２が形成されており、座板４は当接片４２を介して着床するようになっている。
【００１３】
鎌錠装置６は、ボックス状の本体６０と、本体に対して回動可能に設けた回動係止片６１と、本体６０に内装され、回動係止片６１を回動させる回動機構（図示せず）と、回動機構に連繋することで回動係止片６１を回動させるサムターン６２及びシリンダ錠（好適な例では、防犯性能が高いディンプルシリンダである）６３とを有する。回動係止片６１は、シャッターカーテン２が画定する面内を上下に回動可能となっており、上方に回動した状態（傾斜状の姿勢）では回動係止片６１は座板４内に位置しており、下方に回動することで座板４の下面より下方に突出するように構成されている。回動係止片６１の先端部位には、鎌状のフック部６１０が形成されている。回動係止片６１のフック部６１０が床面に設けた被係止部に係止することで、回動係止片６１はデッドボルトとして機能する。
【００１４】
鎌錠装置６が設けられる部位の室内側水平状部４１には開口部あるいは切り欠き部が形成されており、該開口部を介して回動係止片６１が座板４の下端から下方に向って回動するようになっている。本体６０は、取付プレート７を介して座板４の垂直部４０の室内側に装着されており、本体６０内部の回動機構およびサムターン６２が室内側に位置するようになっている。シリンダ錠６３は、座板４の垂直部４０の室外側面部に面しており、通常時には、鍵操作で鎌錠を解錠して、シャッターカーテン２を開放できるようになっている。
【００１５】
下枠５は略全体が床面内に埋設されており、下枠５の上面５０が床面と略面一となっている。上面５０において、鎌錠装置６に対応する部位には、回動係止片６１の被係止部を構成するストライクプレート８が設けてあり、ストライクプレート８の受孔９に回動係止片６１が回動して係入し、鎌状のフック部６１０が受孔９の周縁のプレート８の下面８０に係止する。ストライクプレート８は、強度を持たせるため、上面５０に形成した開口部を上下から挟むようにして２枚の板材を設けてストライクプレート８が形成されている。
【００１６】
本体６０は正面視において水平方向に延出する長方形状であり、本体６０の長さ方向の両端には、２つの回動係止片６１がそれぞれ回動自在に設けてある。２つの回動係止片６１は一つの操作によって互いに異なる方向に回動することで、施錠・解錠するようになっている。すなわち、シリンダ錠６３あるいはサムターン６２の操作による施錠時には、一方の回動係止片６１は時計回りに回動して施錠し、他方の回動係止片６１は時計反対回りに回動して、それぞれ床面に設けた被係止部に係止して、施錠するようになっている。図２（Ｂ）に示すように、施錠状態において、左右の回動係止片６１は上下方向に延出した姿勢であり、鎌状のフック部６１０に水平方向からストライクプレート８が嵌入した状態となっており、左右の回動係止片６１のフック部６１０は互いに反対方向からストライクプレート８を受け入れるように係止している。したがって、座板４に左右方向（座板４の長さ方向）の力が作用した場合には、いずれの方向の移動についても、２つの回動係止片６１が有効に対応することができる。
【００１７】
図示のものでは、室内側に位置する解錠つまみとしては、通常のサムターンが示してある。万が一、座板４を少し持ち上げて、座板４と床面との隙間から室内側に手を突っ込んで解錠が試みられる可能性を考慮すると、室内側の解錠手段に工夫を持たせることが有利である。一つの好ましい例では、２アクション機構を備えたサムターンを採用する。２アクション機構とは、回動操作の際に、他のアクションを同時に行わないと回動操作ができないという機構である。２アクション機構を備えたサムターンを図６に示す。サムターン６２は、サムターン６２本体に対して出没自在の２つの突起６２０を有しており、突起６２０が突出している状態では、サムターン６２による回動操作が規制されている。突起６２０を指でつまんで没入させると回動操作の規制が解除され、サムターン６２による回動解錠操作が可能となる。２アクション機構の構成は図示のものに限定されない。２アクション機構を採用することで、室内側からの解錠を困難とすることができる。他の好ましい例では、鎌錠装置は両面シリンダ錠を備えており、室内側からも鍵操作で解錠を行なう。このものでは、室内側に手を侵入させても、鍵がなければ、鎌錠装置を解錠することができない。
【００１８】
図３は、図２（Ｃ）に類似する図であり、図２（Ｃ）の鎌錠装置に関する説明を図３の鎌錠装置の説明にそのまま用いることができるが、座板４と下枠５との関係が異なる。座板４の水平状部４１の幅寸法（室内側の当接片４２と室外側の当接片４２の間の寸法）は、下枠５の上面５０の幅寸法よりも大きく、開口部全閉時には、座板４の水平状部４１によって下枠５、下枠５の上面５０に設けたストライクプレート８が隠蔽されるようになっている。また、座板４の幅寸法を大きくすることで、バール等によるこじ開けをやり難くしている。
【００１９】
図４は、座板４と下枠５との関係に特徴を有するさらに他の実施例を示し、特に下枠５の構成に特徴を有するものである。下枠５の上面には凹部５００が形成されており、凹部５００に座板４が着床するようになっている。凹部５００は実質的に床面を構成する水平部５０１と水平部５０１の前後に形成した壁５０２を有している。凹部５００の水平部５０１の幅方向の寸法は、座板４の水平状部４１の幅寸法（室内側の当接片４２と室外側の当接片４２の間の寸法）よりも大きい寸法を有し、凹部５００に座板４を収容することができる。さらに、凹部５００の前後の壁面５０１の立ち上がり寸法は、座板４の水平状部４１の立ち上がり寸法（当接片４２の寸法）よりも僅かに大きく、座板４と凹部５００の水平部５０１との間にバール等を侵入させるのを困難としている。上面の水平部５０１において、鎌錠装置６に対応する部位には、ストライクプレート８が設けてあり、ストライクプレート８の受孔９に回動係止片６１が係止し、回動係止片６１のフック部６１０が受孔９の周縁のプレートの裏面８０に係止する。ストライクプレート８は、強度を持たせるため、水平部５０１に形成した開口部を上下から挟むようにして２枚の板材を設けてストライクプレート８が形成されている。
【００２０】
図５は、座板部分からのこじ開けを困難にする他の実施例を示している。図５（Ａ）ではシャッター装置のシャッターカーテンの下端の座板が着床する面には、溝部を形成し、該溝部内に座板受けレールを埋設する。座板受けレール内は、スプリング等の弾性部材によって、床面と略面一となるように上方に押し上げられるカバープレートを有しており、座板がレールに接触していない時には、カバープレートが溝部を被覆しており、溝部内にゴミが入ったり、溝につまずいたりする等の不具合を解消している。シャッターカーテンが降下して、座板がカバープレートに当接すると、シャッターカーテンの重みでカバープレートが座板と共に溝部内に下降する。図５（Ｂ）は床面に溝部を形成できない場合には、傾斜付きの座板受けガイドを床面上に設置することを示しており、座板と床面との隙間からのこじ開けを困難にする。図５のものでは、座板と床面との接地面が見えないので、バール、油圧ジャッキ等で座板を持ち上げることが困難である。また、後付けも可能であるため、既設現場にも設置可能である。
【産業上の利用可能性】
【００２１】
本発明は、シャッター装置の防犯装置として用いることができる。
【図面の簡単な説明】
【００２２】
【図１】本発明に係るシャッター装置を室内側から見た部分正面図であり、（Ａ）では、座板の長さ方向中央部位に鎌錠装置を設けたもの、（Ｂ）では、座板の長さ方向に間隔を存して２つの鎌錠装置を設けてものを示している。
【図２】座板に設けた鎌錠装置を示す図であって、（Ａ）は平面図、（Ｂ）は正面図、（Ｃ）は側面図である。
【図３】図２（Ｃ）と類似の図であるが、座板によって下枠が隠蔽されているものを示している。
【図４】図２（Ｃ）、図３と類似の図であるが、座板を受け入れる下枠に特徴を有する実施例を示している。
【図５】座板の接地面の構造を示す図であり、（Ａ）は床面内に形成した凹部に座板を収容するもの、（Ｂ）は床面上に形成したガイドによって床面上に凹部を形成して座板を収容するようにしたものである。
【図６】２アクション機構を備えたサムターンの説明図である。
【符号の説明】
【００２３】
２  シャッターカーテン
３  スラット
４  座板
４０  垂直部
４１  水平部
５  下枠
５０  下枠上面
５００  下枠上面の凹部
６  鎌錠装置
６１  回動係止片
６１０  フック部
８  ストライクプレート
９  回動係止片の受孔
【図１】
2005090104.tif 000003
【図２】
2005090104.tif 000004
【図３】
2005090104.tif 000005
【図４】
2005090104.tif 000006
【図５】
2005090104.tif 000007
【図６】
2005090104.tif 000008